(57)【要約】【課題】ローストチキン等の食品に取り付けられる飾り具として、外部から見やすい表示が行える新規な形態の飾り具を提供する。【解決手段】本飾り具１は、上下にそれぞれ開口部２ａ，２ｂを有する略円筒状に形成され、内部空間に食品Ｆの細長端部Ｒが挿入される筒体２と、筒体２の上側開口部２ｂ側から突出形成され、おもて面に各種の表示が付された表示部４を有するシート状の装飾体３とを備える。上記装飾体３は、下辺相当部の一部が筒体２に結合され、左右両側が筒体２から分離されてエンペラ状に伸ばされて、全体が略平坦なシート状となるように形成されている。【選択図】図１
0003131293.tif 000002
【実用新案登録請求の範囲】
【請求項１】
ローストチキン等の食品に取り付けられる飾り具であって、
上下にそれぞれ開口部を有する略円筒状に形成され、内部空間に上記食品の細長端部が挿入される筒体と、
上記筒体の上側開口部側から突出形成され、おもて面に各種の表示が付された表示部を有するシート状の装飾体とを備え、
上記装飾体は、下辺相当部の一部が上記筒体に結合され、左右両側が上記筒体から分離されてエンペラ状に伸ばされて、全体が略平坦なシート状となるように形成されていることを特徴とする飾り具。
【請求項２】
請求項１に記載の飾り具において、
上記筒体は、一枚のシート材の矩形部分を二つ折りにしてその折り目方向に丸めて形成され、下側開口部で折り返された二重筒に構成されており、
上記装飾体は、上記矩形部分の一辺に連成されて予め上記シート材に構成されていて、上記筒体を構成する二重筒の外筒部分に連成されている飾り具。
【請求項３】
請求項１または２に記載の飾り具において、
上記表示部は、クリスマスをイメージさせる文字、図形、記号若しくはこれらニ以上の組み合わせ、またはこれらと色彩との結合により構成されている飾り具。
【請求項４】
請求項１ないし３のいずれかに記載の飾り具において、
上記装飾体の外形は、上記表示部の文字、図形または記号の外延に沿った形状に形成されている飾り具。
【請求項５】
請求項１ないし４のいずれかに記載の飾り具において、
上記表示部を含む上記装飾体のおもて面は、透明樹脂製フィルムがラミネートされている飾り具。
【考案の詳細な説明】
【技術分野】
【０００１】
本考案は、ローストチキン、フライドチキン、手羽先、骨付きチキン等の食品に取り付ける飾り具に関する。
【背景技術】
【０００２】
従来、この種飾り具Ａとしては、図４に示すように、紙等を丸めて円筒状に形成された筒体１０２と、この筒体１０２の上側開口部１０２ｂの周縁に多数のループ帯１０３ａが全周的に配設された花びら状の装飾体１０３とを備え、この筒体１０２の下側開口部１０２ａからローストチキン等の食品Ｆの細長端部Ｒに被せて食品Ｆを華やかに飾り付けるものがある（例えば、特開２００４−１６０６９７号公報、特開２００３−１８１９５５号公報）。
【０００３】
この飾り具Ａは、矩形状の紙等を二つ折りにし、折り目側に等間隔に切り込みを入れて多数の帯部を形成し、次いで、この二つ折りの紙等を円筒状に丸めて筒体１０２を形成し、また、上記各帯部を膨出させてループ帯１０３ａとし花びらが開花したように整形して装飾体１０３を形成することで作製される。
【０００４】
そして、例えば、スーパー、デパート等の食品売場において、ローストチキン等の食品Ｆは、上記飾り具Ａを取り付けて飾り付けた状態で、そのまま、もしくはトレーに入れてラップを掛けた包装形態で販売される。上記飾り具Ａは、それ自体が華やかさを有するので無模様で提供されるものもあるが、筒体１０２のおもて面に各種の文字、図形等の表示を付して消費者の購買意欲を強く惹き付けてローストチキン等の食品Ｆの一層の販売促進を図ることがなされる。例えば、クリスマスの時期には、クリスマスのイメージを実感できる文字、図形等の表示（例えば、「Ｍｅｒｒｙ  Ｃｈｒｉｓｔｍａｓ」等の文字や、サンタクロース等の図形など）が上記筒体１０２に施される。
【考案の開示】
【考案が解決しようとする課題】
【０００５】
しかしながら、上記飾り具Ａの筒体１０２は、丸く湾曲しているため、筒体１０２に施した表示も筒体１０２の形状に倣って湾曲されてしまい、上記表示が外部からは見やすいものとはなり難かった。例えば、上記飾り具Ａの筒体１０２にクリスマスをイメージさせる表示を付しても、その表示が湾曲されて外部から見づらくなってしまい、消費者に対してその表示によりクリスマスのイメージを一見して認識させるには不十分であった。その結果、上記飾り具Ａに表示を付すことよって消費者の購買意欲を一層奮い立たせるには必ずしも十分な表示形態が実現できていなかった。
【０００６】
このことから、食品売り場では、平時使用される上記飾り具Ａに表示を施しても外部からは見やすいものとなり難いことから、季節商戦等で一層の販売促進を図る場合には、ローストチキン等の食品Ｆをトレーに入れた包装形態で販売するものは、例えば、クリスマスの時期には、特別に、包装形態のラップにクリスマスをイメージさせる表示ラベルを貼り付け、また、ローストチキン等の食品Ｆの陳列棚には、例えば、クリスマスをイメージさせる表示スタンドを立てる等して、消費者に注目させる工夫がなされていた。そのため、表示スタンドを設置する手間やラップに別製の表示ラベルを貼り付ける手間が増え、また、表示スタンドや別製の表示ラベル等のコストも余分にかかっていた。
【０００７】
本考案は、上記事情に鑑みてなされたものであり、外部から見やすい表示が行える新規な形態の飾り具を提供することを課題とする。
【課題を解決するための手段】
【０００８】
本考案に係る飾り具は、
ローストチキン等の食品に取り付けられる飾り具であって、
上下にそれぞれ開口部を有する略円筒状に形成され、内部空間に上記食品の細長端部が挿入される筒体と、
上記筒体の上側開口部側から突出形成され、おもて面に各種の表示が付された表示部を有するシート状の装飾体とを備え、
上記装飾体は、下辺相当部の一部が上記筒体に結合され、左右両側が上記筒体から分離されてエンペラ状に伸ばされて、全体が略平坦なシート状となるように形成されていることを特徴とするものである。
上記構成より、上記装飾体は全体が略平坦なシート状に形成されているので、この装飾体のおもて面に形成される表示部が略平面的に表される。これにより、この表示部は、外部から見やすい表示が実現される。
【０００９】
上記筒体は、一枚のシート材の矩形部分を二つ折りにしてその折り目方向に丸めて形成され、下側開口部で折り返された二重筒に構成されており、
上記装飾体は、上記矩形部分の一辺に連成されて予め上記シート材に構成されていて、上記筒体を構成する二重筒の外筒部分に連成されていてもよい。
これにより、上記の筒体および装飾体は、上記矩形部分とこの矩形部分の一辺に連成する上記装飾体の形状部分とを模った一枚のシート材から作製することができる。また、上記筒体が二重筒に構成されるので、筒体の強度が確保される。また、上記筒体の下側開口部が折り返しとなっているので、ローストチキン等の食品の細長端部に挿入する際、引っ掛かり無く円滑に挿入させることができる。
【００１０】
上記表示部は、クリスマスをイメージさせる文字、図形、記号若しくはこれらニ以上の組み合わせ、またはこれらと色彩との結合により構成されていてもよい。
これにより、消費者に対してクリスマスの季節感を即に実感させることができる。
【００１１】
上記装飾体の外形は、上記表示部の文字、図形または記号の外延に沿った形状に形成されていてもよい。
これにより、上記装飾体が外形的に表示部と一体となって表見され、この装飾体による装飾性を一層向上させることができる。
【００１２】
上記表示部を含む上記装飾体のおもて面は、透明樹脂製フィルムがラミネートされていてもよい。
これにより、上記装飾体の表示部に施す表示として、外観上きれいな表示を容易に実現することができる。また、上記表示部にはローストチキン等の食品の油分やタレ等が付着し難く、その表示性能を確実に且つ長期に発揮させることができる。
【考案の効果】
【００１３】
以上のように、本考案によれば、装飾体に形成される表示部は、略平面的に表されるので、外部から見やすい表示が実現され、消費者に対して、装飾体の表示部の表示内容を一見して認識させることができる。従って、本飾り具を取り付け飾り付けたローストチキン等の食品への消費者の関心、購買意欲増進に寄与することができる。そして、装飾体の表示部における表示内容を、例えば、クリスマスの時期等のように特別な時期に応じた表示内容を施すことで、本飾り具を取り付け飾り付けたローストチキン等の食品の販売促進を簡易に且つ低コストに行うことができる。
【考案を実施するための最良の形態】
【００１４】
以下、本考案の実施形態について添付図面を参照しながら説明する。
図１に示すように、本実施の形態による飾り具１は、ローストチキンＲＣ等の食品Ｆに取り付け飾り付けるものである。そして、飾り具１は、略円筒状の筒体２と、おもて面に表示部４を有する略平坦なシート状の装飾体３とを備え、筒体２をローストチキンＲＣの足等の細長端部Ｒに被せて取り付けることで、装飾体３の表示部４によってこのローストチキンＲＣを華やかに飾り付ける。この飾り具１は、紙に透明樹脂製フィルムをラミネートした複合シートによって形成され、ラミネート面がおもて面となるように形成されている。なお、ローストチキンＲＣ等の食品Ｆを食する際や食品Ｆを持ち運ぶ際に、この飾り具１の上から細長端部Ｒをつかむことで手を汚すこともない。
【００１５】
筒体２は、上下にそれぞれ開口部２ａ，２ｂを有する略円筒状に形成され、下側開口部２ａから内部空間にローストチキンＲＣの細長端部Ｒが挿入される。この筒体２は、下側開口部２ａで折り返された二重筒に構成されており、これにより、筒体２の強度が確保される。また、筒体２の下側開口部２ａが折り返されているので、この筒体２をローストチキンＲＣの細長端部Ｒに挿入する際、引っ掛かり無く円滑に挿入させることができる。なお、この筒体２の径サイズは、食品Ｆの細長端部Ｒの外径、例えば、ローストチキンＲＣの足の外径に合わせて設定されるが、通常は、大、中、小などの種類ごとに予め定められたものが用意される。
【００１６】
装飾体３は、全体が略平坦なシート状に形成されており、筒体２を構成する二重筒の外筒部分に連成されて筒体２の上側開口部２ｂ側に突出して配置されている。装飾体３のおもて面には、印刷等によって各種の表示を付した表示部４が形成されている。この装飾体３は、下辺相当部の一部が筒体２の外筒部分に一体的に結合され、左右両側に筒体２から分離されてエンペラ状に伸ばされて、全体が略平坦なシート状となるように形成されている。これにより、装飾体３のおもて面に形成される表示部４が略平面的に表され、表示部４が外部から見やすくなっている。
【００１７】
図１に示した飾り具１における表示部４は、クリスマスをイメージさせる文字、図形、記号若しくはこれらニ以上の組み合わせ、またはこれらと色彩との結合により構成されており、これにより、消費者に対してクリスマスの季節感を即に実感させることができる。その結果、クリスマスの時期には、本飾り具１を取り付けて飾り付けたローストチキンＲＣ等の食品Ｆへの消費者の購買意欲を増進させて食品Ｆの販売促進を図ることができる。
【００１８】
また、装飾体３の外形は、表示部４の文字、図形または記号の外延に沿った形状に形成されており、これにより、上記装飾体３が外形的に表示部４と一体となって表見され、この装飾体３による装飾性を一層向上させることができる。
【００１９】
また、表示部４を含む装飾体３のおもて面は、透明樹脂製フィルムがラミネートされており、これにより、装飾体３の表示部４に施す表示として、外観上きれいな表示を容易に実現することができ、また、表示部４にはローストチキンＲＣの油分、タレ等が付着し難く、その表示性能を確実に且つ長期に発揮させることができる。
【００２０】
（作り方）
上記飾り具１は、例えば、次のようにして作製される。
作り方を示す図２を参照して、一枚のシート材Ｓを、矩形部分２０とこの矩形部分２０の一辺に連成する装飾体形状部分３０とに模る（図２（ａ））。なお、シート材Ｓの片面には、予め表示部４となる各種の印刷が装飾体形状部分３０に施されると共に矩形部分２０にも各種の模様等の印刷が施され、且つこの印刷面の上に透明樹脂製フィルム（図示せず）がラミネートされている。また、このシート材Ｓは、装飾体形状部分３０と矩形部分２０との境界において表示部４の形状に沿って両側から切り込み３１が設けられている。この切り込み３１を設けることによって、完成した飾り具１の装飾体３を一層平坦に形成することができる。
【００２１】
次に、図２（ａ）に示す折り線２１ａに沿って、このシート材Ｓの矩形部分２０を、透明樹脂フィルムをラミネートした面側（印刷面側）がおもて面となるように二つ折りにして重ね合わせる（図２（ｂ））。そして、この重ね合わせた矩形部分２０を折り返し２１の長さ方向に丸めて適当な径の円筒形状に形成し（図２（ｃ））、丸めた状態で上側に位置する矩形部分２０の端辺２２または対向する端辺２２同士をセロハンテープＴ等で固定すると（図２（ｄ））、図１に示すような飾り具１が完成する。
【００２２】
このようにして、本飾り具１は、一枚のシート材Ｓから作製することができる。また、完成した飾り具１における筒体２の内面（内筒部分）および外面（外筒部分）と、装飾体３のおもて面とがシート材Ｓの片面によって構成されるので、これらの面を透明樹脂フィルムのラミネート面とすることが簡単に実現できる。
【００２３】
以上のように、本実施の形態による飾り具１によれば、上記装飾体３は全体が略平坦に形成されているので、この装飾体３のおもて面に形成される表示部４が略平面的に表される。これにより、この表示部４は、外部から見やすい表示が実現される。
従って、スーパーやデパート等の食品売場において、ローストチキンＲＣ等の食品Ｆに本飾り具１を取り付けて飾り付けることで、消費者に対して装飾体３に形成する表示部４の表示内容を一見して認識させることができる。
【００２４】
その結果、表示部４には、季節や特別セール等の販売商戦等に応じた表示内容を施すことで、本飾り具１を取り付けて飾り付けた食品Ｆへの消費者の関心、購買意欲を惹き出させ、販売促進につなげることができる。
例えば、クリスマスの時期には、クリスマスをイメージさせる表示を装飾体３の表示部４に施すことで、消費者に対してクリスマスの季節感を即に実感させて当該食品Ｆへの購買意欲を増進させて販売促進を図ることができる。
このように、本飾り具１を取り付け飾り付けたローストチキンＲＣ等の食品Ｆの販売促進を簡易に且つ低コストに行うことができる。
【００２５】
（その他）
なお、本考案に係る飾り具は、上記実施の形態に限定されず、例えば、以下のような変更を施すことが可能である。
装飾体３に形成した表示部４の表示内容は、図１に示すクリスマスをイメージさせるデザインに限らず、適宜なデザインを採用することができ、例えば、図３に示す各種の飾り具１，１ａ，１ｂ，１ｃ，のように、種々のデザインを採用することができる（装飾体３，３ａ，３ｂ，３ｃ、表示部４，４ａ，４ｂ，４ｃ）。この場合、各々の装飾体３，３ａ，３ｂ，３ｃの外径形状は、各々の表示部４，４ａ，４ｂ，４ｃの表示内容の外延に沿って形成することができる。
【００２６】
また、表示部４は、装飾体３のおもて面に形成するが、装飾体３のうら面にも形成してもよい。
また、装飾体３は、筒体２に１つ形成するが、筒体２の上側開口部２ｂ側の対向位置にそれぞれ形成する等、複数形成してもよい。
また、筒体２は、シート材Ｓが内側に折り返されて二重筒に構成するが、一重筒に構成されてもよい。
また、筒体２のおもて面には、各種の模様等が付されているが、無地でもよい。
また、本考案に係る飾り具は、紙に透明樹脂フィルムをラミネートした複合シートで作製したものに限らず、紙、ＰＥＴ等のプラスチックシート、アルミニウムシート、紙の表面にアルミ蒸着したシート等の各種のシート材Ｓで作製されてもよい。
【図面の簡単な説明】
【００２７】
【図１】本実施の形態による飾り具を食品としてのローストチキンに取り付けた状態を示す平面図である。
【図２】本実施の形態による飾り具の製作過程を示す平面図である。
【図３】本考案による各種の飾り具の例を示す平面図である。
【図４】従来の飾り具の全体構成を示す斜視図である。
【符号の説明】
【００２８】
１  飾り具
２  筒体
２ａ  下側開口部
２ｂ  上側開口部
３  装飾体
４  表示部
Ｆ  食品
Ｒ  食品の細長端部
ＲＣ  ローストチキン
Ｓ  シート材
【図１】
0003131293.tif 000003
【図２】
0003131293.tif 000004
【図３】
0003131293.tif 000005
【図４】
0003131293.tif 000006